(57)【要約】【課題】ペア線に対し新規に端末が接続されたとき、親機から供給される電気信号の受信状態が不適正な状態となることに起因して、新規に接続された端末が適正に動作しなくなる場合に、適切な対策を施すことの可能な直流配電システムを提供する。【解決手段】直流供給線路２２に対し新規にＤＣ機器５が接続されたとき、そのＤＣ機器５の測定部６１により制御ユニット９からの電気信号の受信状態に基づき自機の動作状態の良否を示す指標値が測定される。この指標値が上記ＤＣ機器５の動作状態の不良を示す値である場合、同ＤＣ機器５の報知部６２は、エラーを表すＬＥＤ６３及びスピーカ６４の駆動（赤色のＬＥＤ点灯及びビープ音の鳴動）を行う。これにより、ユーザは、直流供給線路２２に対し新規に接続したＤＣ機器５の動作を適正に行えない原因が同ＤＣ機器５での上記受信状態の悪化にあることを理解でき、適切な対策を施すことが可能になる。【選択図】図２
2011082602.tif 000002
【特許請求の範囲】
【請求項１】
親機に接続されたペア線に対し端末を接続可能であり、前記親機から前記ペア線に接続された端末に給電を行うとともに、前記ペア線を通信線として用いる直流配電システムにおいて、
前記端末は、前記ペア線に接続される際に前記親機から供給される電気信号の受信状態に基づき自機の動作状態の良否を示す指標値を測定する測定手段と、その測定手段による測定結果を報知する報知手段と、
を備えることを特徴とする直流配電システム。
【請求項２】
請求項１記載の直流配電システムにおいて、
前記測定手段は、前記親機から送信された信号に関するＳ／Ｎ比を前記指標値として測定するものである
ことを特徴とする直流配電システム。
【請求項３】
請求項１記載の直流配電システムにおいて、
前記測定手段は、前記親機からの給電に基づく電圧レベルを前記指標値として測定するものである
ことを特徴とする直流配電システム。
【請求項４】
請求項１記載の直流配電システムにおいて、
前記親機は、前記ペア線に対し新規に端末が接続されたとき、同ペア線に接続された端末すべてに前記測定手段による前記指標値の測定を行わせ、前記新規に接続された端末の前記報知手段を用いて、同端末における前記指標値の測定結果を報知させるとともに、測定された前記指標値が動作状態の不良を示した端末での前記指標値の測定結果も報知させる
ことを特徴とする直流配電システム。
【請求項５】
請求項４記載の直流配電システムにおいて、
前記ペア線に接続された端末は、前記親機の指示に基づく前記測定手段による前記指標値の測定を行った後、その指標値の測定結果を前記親機に送信するものであり、
前記親機は、前記指標値の測定結果を受信できない端末があれば、その端末で測定された前記指標値が動作状態の不良を示したものとして、前記新規に接続された端末の前記報知手段を用い、その旨を報知する
ことを特徴とする直流配電システム。
【請求項６】
請求項３記載の直流配電システムにおいて、
前記親機は、前記ペア線に対し新規に端末が接続されたとき、同ペア線に接続された端末すべてに前記測定手段による前記指標値の測定を行わせ、前記新規に接続された端末の前記報知手段を用いて同端末における前記指標値の測定結果を報知し、測定された前記指標値が動作状態の不良に近い状態を示した端末の前記報知手段を用いて電源追加の推奨ポイントの報知を行う
ことを特徴とする直流配電システム。
【請求項７】
請求項１記載の直流配電システムにおいて、
前記親機は、前記ペア線に対し新規に端末が接続されたとき、同ペア線に接続された端末すべてに前記測定手段による前記指標値の測定を行わせ、前記新規に接続された端末の前記報知手段を用いて同端末における前記指標値の測定結果を報知し、測定された前記指標値が動作状態の不良を示す値に対し余裕のある状態を示した端末の前記報知手段を用いて端末接続の推奨ポイントの報知を行う
ことを特徴とする直流配電システム。
【請求項８】
請求項７記載の直流配電システムにおいて、
前記報知手段は、前記端末接続の推奨ポイントの報知を端末の表面に臨む表示鳴動部の駆動によって行う
ことを特徴とする直流配電システム。
【請求項９】
請求項８記載の直流配電システムにおいて、
前記報知手段は、前記端末接続の推奨ポイントの報知を前記表示鳴動部の駆動によって行うに当たり、測定された前記指標値の動作状態の不良を示す値に対する余裕度の大きさに応じて前記表示鳴動部による報知の程度を変える
ことを特徴とする直流配電システム。
【発明の詳細な説明】
【技術分野】
【０００１】
本発明は、直流配電システムに関する。
【背景技術】
【０００２】
従来より、親機に接続されたペア線に対し端末を接続可能であり、親機からペア線に接続された端末に給電を行うとともに、そのペア線を通信線として用いる配電システムが知られている（特許文献１参照）。また、こうした配電システムを直流配電システムに適用することも考えられる。
【先行技術文献】
【特許文献】
【０００３】
【特許文献１】特開２００７−３１２１７６公報（段落［００２０］〜［００２４］、［００４７］〜［００５０］、［００５５］、［００５６］）
【発明の概要】
【発明が解決しようとする課題】
【０００４】
ところで、直流配電システムにおいて、ペア線に対し新規に端末を接続する場合、既にペア線に接続されている端末の影響により、親機から供給される電気信号の上記新規に接続された端末での受信状態が不適正な状態となり、それに起因して同端末が適正に動作しないおそれがある。このように、親機から供給される電気信号の上記新規に接続された端末での受信状態に基づき同端末の動作状態の良否が定まるが、こうした受信状態に基づく端末の動作状態の良否を示す指標値としては、具体的には親機から上記新規に接続された端末に送信された信号に関するＳ／Ｎ比や、親機からの給電に伴う上記端末での電圧レベルがあげられる。
【０００５】
従って、上記新規に接続された端末において、受信状態が上記のように不適正な状態となる具体例としては、次の［１］及び［２］に示す例が考えられる。［１］ペア線に対し既に接続されている端末及び新規に接続された端末の動作やインピーダンスに起因して、親機から上記新規に接続された端末に送信された信号のＳ／Ｎ比が両者間での通信を可能とする値未満に低下する。［２］ペア線に対し既に接続されている端末で電力が消費され、それに起因して上記新規に接続された端末での電圧レベルが同端末を適正動作可能な値未満に低下する。
【０００６】
このように、ペア線に対し新規に接続した端末の上記受信状態が不適正な状態となり、同端末が適正に動作しないような場合、それが上記［１］や［２］に示される原因によるものであることをユーザ側で判断することは困難である。このため、ユーザ側では、上記端末が正常であるにもかかわらず故障が生じていると誤認し、上記端末の動作を適正に行えないことへの適切な対策を施すことができない可能性が高い。
【０００７】
なお、特許文献１には、ペア線に対し新規に端末が接続されたとき、同端末と親機との間で行われるハンドシェイクと呼ばれる通信の際の通信速度（スループット）を測定し、測定された通信速度とその基準値との判断を行い、その判断結果に応じて上記端末に設けられた緑色ＬＥＤと赤色ＬＥＤとのいずれかを点灯する技術が開示されている。この場合、ペア線に対し新規に端末を接続したユーザは、その端末におけるＬＥＤの点灯状態に基づき、同端末と親機との間の通信速度を確認することができるようになるものの、こうした端末でのＬＥＤの点灯は、通信速度を確認するためのものにすぎず、同端末の動作状態の良否を確認できるものではない。また、新規端末を接続したことにより、既存端末の動作状態が不良となる場合を検出することも不可能である。
【０００８】
従って、この技術を上記直流配電システムに適用したとしても、ユーザは、ペア線に対し新規に接続された端末のＬＥＤの点灯状態を見て、その端末が上述した［１］や［２］の原因により適正に動作していないことを理解することは困難であり、やはり同端末に故障が生じていると誤認して適切な対策を施せない可能性が高い。
【０００９】
本発明はこのような実情に鑑みてなされたものであって、その目的は、ペア線に対し新規に端末が接続されたとき、親機から供給される電気信号の受信状態が不適正な状態となることに起因して、新規に接続された端末が適正に動作しなくなる場合に、適切な対策を施すことの可能な直流配電システムを提供することにある。
【課題を解決するための手段】
【００１０】
以下、上記目的を達成するための手段及びその作用効果について記載する。
上記目的を達成するため、請求項１記載の発明では、親機に接続されたペア線に対し端末を接続可能であり、前記親機から前記ペア線に接続された端末に給電を行うとともに、前記ペア線を通信線として用いる直流配電システムにおいて、前記端末は、前記ペア線に接続される際に前記親機から供給される電気信号の受信状態に基づき自機の動作状態の良否を示す指標値を測定する測定手段と、その測定手段による測定結果を報知する報知手段と、を備えた。
【００１１】
上記構成によれば、ペア線に対し新規に端末が接続されたとき、その端末の測定手段により親機からの電気信号の受信状態に基づき自機の動作状態の良否を示す指標値が測定され、こうした測定手段による測定結果が上記端末の報知手段により報知される。従って、親機から供給される電気信号の上記新規に接続された端末での受信状態が不適正な状態となり、それに起因して同端末が適正に動作しない場合に、そのことを同端末の報知手段によりユーザに向けて報知することができる。これにより、ユーザは、ペア線に対し新規に接続した端末の動作を適正に行えない原因が同端末の親機からの電気信号の受信状態にあることを理解でき、適切な対策を施すことが可能になる。
【００１２】
請求項２記載の発明では、請求項１記載の発明において、前記測定手段は、前記親機から送信された信号に関するＳ／Ｎ比を前記指標値として測定するものとした。
上記構成によれば、ペア線に対し新規に端末が接続されたとき、その端末の測定手段により親機から同端末に送信された信号のＳ／Ｎ比が上記指標値として測定され、こうした測定手段による測定結果が上記端末の報知手段により報知される。従って、親機と上記新規に接続された端末との間でのペア線を用いた通信に上記Ｓ／Ｎ比の低下に起因する不良が生じて上記端末が適正に動作しなくなる場合に、そのことを同端末の報知手段によりユーザに向けて報知することができる。これにより、ユーザは、ペア線に対し新規に接続した端末の動作を適正に行えない原因が、上記Ｓ／Ｎ比の低下にあることを理解でき、適切な対策を施すことが可能になる。
【００１３】
請求項３記載の発明では、請求項１記載の発明において、前記測定手段は、前記親機からの給電に基づく電圧レベルを前記指標値として測定するものとした。
上記構成によれば、ペア線に対し新規に端末が接続されたとき、その端末の測定手段により親機からの給電に伴う同端末での電圧レベルが上記指標値として測定され、こうした測定手段による測定結果が上記端末の報知手段により報知される。従って、親機からの給電に伴う上記新規に接続された端末での電圧レベルが低下して同端末が適正に動作しなくなる場合に、そのことを同端末の報知手段によりユーザに向けて報知することができる。これにより、ユーザは、ペア線に対し新規に接続した端末の動作を適正に行えない原因が、上記電圧レベルの低下にあることを理解でき、適切な対策を施すことが可能になる。
【００１４】
請求項４記載の発明では、請求項１記載の発明において、前記親機は、前記ペア線に対し新規に端末が接続されたとき、同ペア線に接続された端末すべてに前記測定手段による前記指標値の測定を行わせ、前記新規に接続された端末の前記報知手段を用いて、同端末における前記指標値の測定結果を報知させるとともに、測定された前記指標値が動作状態の不良を示した端末での前記指標値の測定結果も報知させることを要旨とした。
【００１５】
上記構成によれば、ペア線に対し新規の端末が接続されたとき、その端末のインピーダンスや消費電力等の影響により、既にペア線に接続されていた端末で親機からの電気信号の受信状態が悪化して動作状態が不良となった場合に、そのことを上記新規に接続された端末の報知手段を用いて報知することができる。
【００１６】
請求項５記載の発明では、請求項４記載の発明において、前記ペア線に接続された端末は、前記親機の指示に基づく前記測定手段による前記指標値の測定を行った後、その指標値の測定結果を前記親機に送信するものであり、前記親機は、前記指標値の測定結果を受信できない端末があれば、その端末で測定された前記指標値が動作状態の不良を示したものとして、前記新規に接続された端末の前記報知手段を用い、その旨を報知することを要旨とした。
【００１７】
上記構成によれば、ペア線に対し新規に端末が接続されたとき、親機の指示に基づき同ペア線に接続されたすべての端末が測定手段による上記指標値の測定を行い、その測定結果を親機に送信する。しかし、上記新規に接続された端末のインピーダンス等がペア線を介した通信に影響を及ぼすことは避けられず、既にペア線に接続されていた端末から親機に向けて測定手段による上記指標値の測定結果を送信しても、その測定結果が上記影響に起因する通信不良により親機に届かない場合がある。この場合、上記指標値の測定結果を親機で受信できない端末があれば、その端末で測定された前記指標値が動作状態の不良を示したものとして、前記新規に接続された端末の前記報知手段を用い、その旨報知されることとなるため、それを確認したユーザが適切な対策を施すことができる。
【００１８】
請求項６記載の発明では、請求項３記載の発明において、前記親機は、前記ペア線に対し新規に端末が接続されたとき、同ペア線に接続された端末すべてに前記測定手段による前記指標値の測定を行わせ、前記新規に接続された端末の前記報知手段を用いて同端末における前記指標値の測定結果を報知し、測定された前記指標値が動作状態の不良に近い状態を示した端末の前記報知手段を用いて電源追加の推奨ポイントの報知を行うことを要旨とした。
【００１９】
上記構成によれば、ペア線に対し新規に端末が接続されたとき、同ペア線に接続された端末すべてにおいて、測定手段により親機からの給電に伴う同端末での電圧レベルが上記指標値として測定される。そして、上記新規に接続された端末では、測定手段による測定結果が報知される。また、ペア線に対し新規に端末を接続することにより、既にペア線に接続されていた端末で電圧レベルが低下し、その電圧レベルが同端末での動作状態の不良に近い状態を示した場合、その端末の報知手段を用いて電源追加の推奨ポイントが報知される。こうした電源追加の推奨ポイントの報知により、ユーザは、電源を追加すべきポイントを容易に確認することができ、上記電源追加の推奨ポイントを報知している端末の近傍に電源を追加するという適切な対策を施すことができる。
【００２０】
請求項７記載の発明では、請求項１記載の発明において、前記親機は、前記ペア線に対し新規に端末が接続されたとき、同ペア線に接続された端末すべてに前記測定手段による前記指標値の測定を行わせ、前記新規に接続された端末の前記報知手段を用いて同端末における前記指標値の測定結果を報知し、測定された前記指標値が動作状態の不良を示す値に対し余裕のある状態を示した端末の前記報知手段を用いて端末接続の推奨ポイントの報知を行うことを要旨とした。
【００２１】
上記構成によれば、ペア線に対し新規に端末が接続されたとき、同ペア線に接続された端末すべてにおいて、測定手段により親機からの電気信号の受信状態に基づき自機の動作状態の良否を示す指標値が測定される。そして、上記新規に接続された端末では、測定手段による測定結果が報知される。また、ペア線に対し新規に端末を接続したとき、既にペア線に接続されていた端末において、親機からの電気信号の受信状態に基づき測定された上記指標値が同端末での動作状態の不良を示す値に対し余裕のある状態を示した場合、その端末の報知手段を用いて端末接続の推奨ポイントが報知される。こうした端末接続の推奨ポイントの報知により、ユーザは、端末を接続するにふさわしいポイントを容易に確認することができる。従って、ペア線に対し新規に端末を接続したとき、親機から供給される電気信号の上記端末での受信状態が不適正な状態となり、それに起因して同端末が適正に動作しないことが同端末の報知手段により報知された場合に、ユーザは、その端末を上記端末接続の推奨ポイントを報知している端末の近傍に接続し直すという適切な対策を施すことができる。
【００２２】
請求項８記載の発明では、請求項７記載の発明において、前記報知手段は、前記端末接続の推奨ポイントの報知を端末の表面に臨む表示鳴動部の駆動によって行うことを要旨とした。
【００２３】
上記構成によれば、端末表面に臨む表示鳴動部の駆動によって端末接続の推奨ポイントの報知が行われるため、その推奨ポイントが確認しやすくなるという効果が得られる。
請求項９記載の発明では、請求項８記載の発明において、前記報知手段は、前記端末接続の推奨ポイントの報知を前記表示鳴動部の駆動によって行うに当たり、測定された前記指標値の動作状態の不良を示す値に対する余裕度の大きさに応じて前記表示鳴動部による報知の程度を変えることを要旨とした。
【００２４】
上記構成によれば、端末表面に臨む表示鳴動部の駆動によって端末接続の推奨ポイントの報知が行われる際、測定された前記指標値の動作状態の不良を示す値に対する余裕度の大きさ、言い換えれば端末接続のポイントとしての推奨度の大きさに応じて、上記表示鳴動部による報知の程度が変わる。このため、端末接続のポイントとしての推奨度の大きさを考慮しつつ、ペア線に対する接続後の端末の使い勝手等もふまえて、同端末をユーザにとって好適なポイントに接続することができる。
【図面の簡単な説明】
【００２５】
【図１】第１実施形態の配電システムが適用される住宅の電力供給システム全体を示す略図。
【図２】同配電システムの構成を示す概略図。
【図３】直流供給線路に対し新規にＤＣ機器が接続されたとき、同ＤＣ機器と制御ユニットとの間での通信態様を示すシーケンス図。
【図４】第２実施形態の配電システムの構成を示す概略図。
【図５】直流供給線路に対し新規にＤＣ機器が接続されたとき、同ＤＣ機器と制御ユニットとの間での通信態様を示すシーケンス図。
【図６】第３実施形態の配電システムの構成を示す概略図。
【図７】直流供給線路に対し新規にＤＣ機器が接続されたとき、同ＤＣ機器と制御ユニットとの間での通信態様を示すシーケンス図。
【図８】第４実施形態の配電システムの構成を示す概略図。
【図９】直流供給線路に対し新規にＤＣ機器が接続されたとき、同ＤＣ機器と制御ユニットとの間での通信態様を示すシーケンス図。
【図１０】直流供給線路に対し新規にＤＣ機器が接続されたとき、同直流供給線路に対し接続されたＤＣ機器の報知部にて行われる処理を示すフローチャート。
【図１１】第５実施形態の配電システムの構成を示す概略図。
【図１２】直流供給線路に対し新規にＤＣ機器が接続されたとき、同ＤＣ機器と制御ユニットとの間での通信態様を示すシーケンス図。
【図１３】直流供給線路に対し新規にＤＣ機器が接続されたとき、同直流供給線路に対し接続されたＤＣ機器の報知部にて行われる処理を示すフローチャート。
【図１４】第１実施形態におけるＤＣ機器と制御ユニットとの間での通信態様の他の例を示すシーケンス図。
【発明を実施するための形態】
【００２６】
［第１実施形態］
以下、本発明を住宅等の電力供給システムに適用した第１実施形態を図１〜図２に従って説明する。
【００２７】
図１に示すように、住宅には、宅内に設置された各種機器（照明機器、エアコン、家電、オーディオビジュアル機器等）に電力を供給する電力供給システム１が設けられている。電力供給システム１は、家庭用の商用交流電源（ＡＣ電源）２を電力として各種機器を動作させる他に、太陽光により発電する太陽電池３の電力も各種機器に電源として供給する。電力供給システム１は、直流電源（ＤＣ電源）を入力して動作するＤＣ機器５の他に、交流電源（ＡＣ電源）を入力して動作するＡＣ機器６にも電力を供給する。
【００２８】
電力供給システム１には、同システム１の分電盤としてコントロールユニット７及びＤＣ分電盤（直流ブレーカ内蔵）８が設けられている。また、電力供給システム１には、住宅のＤＣ機器５の動作を制御する機器として制御ユニット９及びリレーユニット１０が設けられている。
【００２９】
コントロールユニット７には、交流電源を分岐させるＡＣ分電盤１１が交流系電力線１２を介して接続されている。コントロールユニット７は、このＡＣ分電盤１１を介して商用交流電源２に接続されるとともに、直流系電力線１３を介して太陽電池３に接続されている。コントロールユニット７は、ＡＣ分電盤１１から交流電力を取り込むとともに太陽電池３から直流電力を取り込み、これら電力を機器電源として所定の直流電力に変換する。そして、コントロールユニット７は、この変換後の直流電力を、直流系電力線１４を介してＤＣ分電盤８に出力したり、又は直流系電力線１５を介して蓄電池１６に出力して同電力を蓄電したりする。コントロールユニット７は、ＡＣ分電盤１１から交流電力を取り込むのみならず、太陽電池３や蓄電池１６の直流電力を交流電力に変換してＡＣ分電盤１１に供給することも可能である。コントロールユニット７は、信号線１７を介してＤＣ分電盤８とのデータのやり取りを実行する。
【００３０】
ＤＣ分電盤８は、直流電力対応の一種のブレーカである。ＤＣ分電盤８は、コントロールユニット７から入力した直流電力を分岐させ、その分岐後の直流電力を、直流系電力線１８を介して制御ユニット９に出力したり、直流系電力線１９を介してリレーユニット１０に出力したりする。また、ＤＣ分電盤８は、信号線２０を介して制御ユニット９とのデータのやり取りをしたり、信号線２１を介してリレーユニット１０とのデータのやり取りをしたりする。
【００３１】
制御ユニット９には、複数のＤＣ機器５，５…が接続されている。これらＤＣ機器５は、直流電力及びデータの両方を１対の線によって搬送可能な直流供給線路２２を介して制御ユニット９と接続されている。直流供給線路２２は、ＤＣ機器の電源となる直流電圧に、高周波の搬送波によりデータを電送する通信信号を重畳する、いわゆる電力線搬送通信により、１対の線で電力及びデータの両方をＤＣ機器５に搬送する。制御ユニット９は、直流系電力線１８を介してＤＣ機器５の直流電源を取得し、ＤＣ分電盤８から信号線２０を介して得る動作指令を基に、どのＤＣ機器５をどのように制御するのかを把握する。そして、制御ユニット９は、指示されたＤＣ機器５に直流供給線路２２を介して直流電圧及び動作指令を出力し、ＤＣ機器５の動作を制御する。
【００３２】
制御ユニット９には、宅内のＤＣ機器５の動作を切り換える際に操作するスイッチ２３が直流供給線路２２を介して接続されている。また、制御ユニット９には、例えば赤外線リモートコントローラからの発信電波を検出するセンサ２４が直流供給線路２２を介して接続されている。よって、ＤＣ分電盤８からの動作指示のみならず、スイッチ２３の操作やセンサ２４の検知によっても、直流供給線路２２に通信信号を流してＤＣ機器５が制御される。
【００３３】
リレーユニット１０には、複数のＤＣ機器５，５…がそれぞれ個別の直流系電力線２５を介して接続されている。リレーユニット１０は、直流系電力線１９を介してＤＣ機器５の直流電源を取得し、ＤＣ分電盤８から信号線２１を介して得る動作指令を基に、どのＤＣ機器５を動作させるのかを把握する。そして、リレーユニット１０は、指示されたＤＣ機器５に対し、内蔵のリレーにて直流系電力線２５への電源供給をオンオフすることで、ＤＣ機器５の動作を制御する。また、リレーユニット１０には、ＤＣ機器５を手動操作するための複数のスイッチ２６が接続されており、スイッチ２６の操作によって直流系電力線２５への電源供給をリレーにてオンオフすることにより、ＤＣ機器５が制御される。
【００３４】
ＤＣ分電盤８には、例えば壁コンセントや床コンセントの態様で住宅に建て付けられた直流コンセント２７が直流系電力線２８を介して接続されている。この直流コンセント２７にＤＣ機器のプラグ（図示略）を差し込めば、同機器に直流電力を直接供給することが可能である。
【００３５】
また、商用交流電源２とＡＣ分電盤１１との間には、商用交流電源２の使用量を遠隔検針可能な電力メータ２９が接続されている。電力メータ２９には、商用電源使用量の遠隔検針の機能のみならず、例えば電力線搬送通信や無線通信の機能が搭載されている。電力メータ２９は、こうした電力線搬送通信や無線通信等を介して検針結果を電力会社等に送信する。
【００３６】
電力供給システム１には、宅内の各種機器をネットワーク通信によって制御可能とするネットワークシステム３０が設けられている。ネットワークシステム３０には、同システム３０のコントロールユニットとして宅内サーバ３１が設けられている。宅内サーバ３１は、インターネットなどのネットワークＮを介して宅外の管理サーバ３２と接続されるとともに、信号線３３を介して宅内機器３４に接続されている。また、宅内サーバ３１は、ＤＣ分電盤８から直流系電力線３５を介して取得する直流電力を電源として動作する。
【００３７】
宅内サーバ３１には、ネットワーク通信による宅内の各種機器の動作制御を管理するコントロールボックス３６が信号線３７を介して接続されている。コントロールボックス３６は、信号線１７を介してコントロールユニット７及びＤＣ分電盤８に接続されるとともに、直流供給線路３８を介してＤＣ機器５を直接制御可能である。コントロールボックス３６には、例えば使用したガス量や水道量を遠隔検針可能なガス／水道メータ３９が接続されるとともに、ネットワークシステム３０の操作パネル４０に接続されている。操作パネル４０には、例えばドアホン子器やセンサやカメラからなる監視機器４１が接続されている。
【００３８】
宅内サーバ３１は、ネットワークＮを介して宅内の各種機器の動作指令を入力すると、コントロールボックス３６に指示を通知して、各種機器が動作指令に準じた動作をとるようにコントロールボックス３６を動作させる。また、宅内サーバ３１は、ガス／水道メータ３９から取得した各種情報を、ネットワークＮを通じて管理サーバ３２に提供可能であるとともに、監視機器４１で異常検出があったことを操作パネル４０から受け付けると、その旨もネットワークＮを通じて管理サーバ３２に提供する。
【００３９】
以上のように構成された電力供給システム１の制御ユニット９とＤＣ機器５とを直流供給線路２２により接続した部分において、制御ユニット９は本発明の配電システムにおける親機として機能し、直流供給線路２２は同配電システムのペア線として機能し、ＤＣ機器５は同配電システムの端末として機能する。また、上記配電システムにおいて、同一の直流供給線路２２上に接続された制御ユニット９、及びＤＣ機器５は、その直流供給線路２２を通信線として互いに通信可能となっている。
【００４０】
図２は、上記配電システムの構成を示す概略図である。同配電システムにおいては、制御ユニット９に接続された直流供給線路２２に対し複数のＤＣ機器５が接続されている。制御ユニット９は、直流供給線路２２に接続された各ＤＣ機器５に給電を行うとともに、それらＤＣ機器５に向けて周期的にビーコン信号を送信する。
【００４１】
ところで、直流配電システムにおいて、直流供給線路２２に対し新規にＤＣ機器５を接続する場合、既に直流供給線路２２に接続されているＤＣ機器５の影響により、制御ユニット９から供給される電気信号の上記新規に接続されたＤＣ機器５での受信状態が不適正な状態となり、それに起因して同ＤＣ機器５が適正に動作しないおそれがある。このように、制御ユニット９からＤＣ機器５に供給される電気信号の受信状態に基づき同ＤＣ機器５の動作状態の良否が定まるが、こうした受信状態に基づくＤＣ機器５の動作状態の良否を示す指標値としては、上記ビーコン信号に関するＳ／Ｎ比や制御ユニット９からの給電に伴う上記ＤＣ機器５での電圧レベルがあげられる。
【００４２】
各ＤＣ機器５は、直流供給線路２２に接続される際に制御ユニット９から供給される電気信号の受信状態に基づき自機の動作状態の良否を示す上記指標値を測定する測定部６１を備えている。この測定部６１は、制御ユニット９からのビーコン信号を受信したときに同信号に基づきＳ／Ｎ比を上記指標値として測定するとともに、制御ユニット９からの給電に伴う電圧レベルを上記指標値として測定する。また、ＤＣ機器５は、上記測定部６１による測定結果をユーザ等に報知するための報知部６２も備えている。この報知部６２は、ＤＣ機器５の表面に臨むように設けられて表示鳴動部として機能するＬＥＤ６３やスピーカ６４を駆動することにより、ユーザに対し上記測定部６１による測定結果を報知するものである。
【００４３】
ここで、直流供給線路２２に対し新規にＤＣ機器５が接続されたとき、同ＤＣ機器５と制御ユニット９との間で行われる通信、及び同ＤＣ機器５にて行われる処理について、図３に示されるシーケンス図を併せ参照して説明する。
【００４４】
上記ＤＣ機器５は、直流供給線路２２に接続された後、制御ユニット９からの給電により起動し、その制御ユニット９から周期的に送信されるビーコン信号を受信する。同ＤＣ機器５の測定部６１は、上記ビーコン信号に基づきＳ／Ｎ比を測定するとともに、制御ユニット９からの給電に伴う電圧レベルを測定する。そして、測定されたＳ／Ｎ比が上記ＤＣ機器５の動作状態の不良を示す値（例えば４ｄＢ以下）である場合、もしくは測定された電圧レベルが上記ＤＣ機器５の動作状態の不良を示す値（例えば１４ｖ以下）である場合、報知部６２は、エラーを表すＬＥＤ６３及びスピーカ６４の駆動、例えば赤色のＬＥＤ点灯及びビープ音の鳴動を行う。これにより、測定部６１による測定結果が報知部６２、ＬＥＤ６３、及びスピーカ６４によりユーザに向けて報知される。一方、測定されたＳ／Ｎ比と電圧レベルとの両方ともが上記ＤＣ機器５の動作状態の不良を示す値に対し余裕がある場合（例えば４ｄＢ、１４ｖよりも大）、報知部６２は、ＤＣ機器５の接続可を表すＬＥＤ６３の駆動、例えば緑色のＬＥＤ点灯を行う。これにより、測定部６１による測定結果が報知部６２、及びＬＥＤ６３によりユーザに向けて報知される。
【００４５】
なお、ＤＣ機器５において、測定部６１、報知部６２、ＬＥＤ６３、及びスピーカ６４等は、ＤＣ機器５の本来の動作（照明など）に必要な電圧レベル（例えば１４ｖよりも）よりも小さい値（例えば３．３ｖ）で駆動されるようになっている。これは、電圧レベルが上記必要な値（１４ｖ）よりも小さいときにも、測定部６１によるＳ／Ｎ比や電圧レベルの測定、及び報知部６２によるＬＥＤ６３及びスピーカ６４の駆動を可能とするためである。
【００４６】
また、直流供給線路２２に対し新規に接続されたＤＣ機器５においては、制御ユニット９からのビーコン信号のＳ／Ｎ比が低すぎて同ビーコン信号を受信できない可能性もある。こうした場合に対処するため、上記ＤＣ機器５の報知部６２は、直流供給線路２２に対する自機の接続後、自機での上記ビーコン信号の受信がないときには、エラーを表すＬＥＤ６３及びスピーカ６４の駆動（赤色のＬＥＤ点灯及びビープ音の鳴動）を行う機能を備えている。
【００４７】
以上詳述した本実施形態によれば、以下に示す効果が得られるようになる。
（１）直流供給線路２２に対し新規にＤＣ機器５が接続されたとき、そのＤＣ機器５の測定部６１により制御ユニット９からの電気信号の受信状態に基づき自機の動作状態の良否を示す指標値が測定される。具体的には、制御ユニット９から同ＤＣ機器５に送信されたビーコン信号のＳ／Ｎ比が上記指標値として測定されるとともに、制御ユニット９からの給電に伴う同ＤＣ機器５での電圧レベルが上記指標値として測定される。そして、上記Ｓ／Ｎ比と上記電圧レベルとの一方が上記ＤＣ機器５の動作状態の不良を示す値である場合、報知部６２は、エラーを表すＬＥＤ６３及びスピーカ６４の駆動（赤色のＬＥＤ点灯及びビープ音の鳴動）を行う。こうして測定部６１による測定結果が報知部６２によりユーザに向けて報知される。
【００４８】
従って、制御ユニット９と上記新規に接続されたＤＣ機器５との間での直流供給線路２２を用いた通信に上記Ｓ／Ｎ比の低下に起因する不良が生じて同ＤＣ機器５が適正に動作しなくなる場合に、そのことを同ＤＣ機器５の報知部６２、ＬＥＤ６３、及びスピーカ６４により報知することができる。また、上記新規に接続されたＤＣ機器５において、制御ユニット９からの給電に伴う電圧レベルが低下して同ＤＣ機器５が適正に動作しなくなる場合に、そのことを同ＤＣ機器５の報知部６２、ＬＥＤ６３、及びスピーカ６４により報知することもできる。これにより、ユーザは、直流供給線路２２に対し新規に接続したＤＣ機器５の動作を適正に行えない原因が、上記Ｓ／Ｎ比の低下や上記電圧レベルの低下にあることを理解でき、適切な対策を施すことが可能になる。なお、こうした対策としては、上記ＤＣ機器５の直流供給線路２２に対する接続ポイントを変更したり、同直流供給線路２２に対し電源を追加接続したりすることがあげられる。
【００４９】
［第２実施形態］
次に、本発明の第２実施形態を図４及び図５に基づき説明する。
この実施形態は、直流供給線路２２に対し新規にＤＣ機器５が接続されたとき、そのＤＣ機器５の消費電力等の影響により、既に直流供給線路２２に接続されているＤＣ機器５で制御ユニット９からの電気信号の受信状態が悪化して動作状態が不良となった場合に、そのことをユーザに向けて報知できるようにしたものである。より詳しくは、上記新規のＤＣ機器５の接続により、他のＤＣ機器５で電圧レベルが同ＤＣ機器５の動作不良を示す値となった場合に、そのことを上記新規に接続されたＤＣ機器５の報知部６２及びＬＥＤ６３等を用いて報知するようにしている。なお、この実施形態では、制御ユニット９からＤＣ機器５に供給される電気信号の受信状態に基づく同ＤＣ機器５の動作状態の不良を示す指標値として上記電圧レベルのみを用いている。
【００５０】
図４は、本実施形態の配電システムの構成を示した概略図である。同配電システムの制御ユニット９は、直流供給線路２２に対し新規にＤＣ機器５が接続されたとき、同直流供給線路２２に接続されたＤＣ機器５すべてに測定部６１による電圧レベルの測定を行わせる。そして、制御ユニット９は、上記新規に接続されたＤＣ機器５の報知部６２、ＬＥＤ６３、及びスピーカ６４を用いて、同ＤＣ機器５での電圧レベルの測定結果を報知させるとともに、測定された電圧レベルが動作状態の不良を示したＤＣ機器５での同電圧レベルの測定結果も報知させる。
【００５１】
ここで、直流供給線路２２に対し新規にＤＣ機器５が接続されたとき、各ＤＣ機器５と制御ユニット９との間で行われる通信、並びに、制御ユニット９及びＤＣ機器５にて行われる処理について、図５に示されるシーケンス図を併せ参照して説明する。
【００５２】
上記ＤＣ機器５は、直流供給線路２２に対し新規に接続されると、制御ユニット９からの給電により起動し、同制御ユニット９に向けて新規参入通知を送信する。制御ユニット９は、上記新規に接続されたＤＣ機器５からの新規参入通知を受信したとき、直流供給線路２２に接続されているＤＣ機器５にブロードキャストで応答信号を送信する。直流供給線路２２に接続された各ＤＣ機器５の測定部６１は、上記応答信号を受信すると、制御ユニット９からの給電に伴う電圧レベルを測定する。そして、上記新規に接続されたＤＣ機器５以外のＤＣ機器５は、測定された電圧レベルが上記ＤＣ機器５の動作状態の不良を示す値でない場合（例えば１４ｖよりも大）、その旨の測定結果通知（ＯＫ）を制御ユニット９に送信する。また、上記ＤＣ機器５は、測定された電圧レベルが上記ＤＣ機器５の動作状態の不良を示す値（例えば１４ｖ以下）である場合、その旨の測定結果通知（ＮＧ）を制御ユニット９に送信する。
【００５３】
制御ユニット９は、ＤＣ機器５からの測定結果通知の受信後、上記新規に接続されたＤＣ機器５での電圧レベルの測定結果を同ＤＣ機器５の報知部６２及びＬＥＤ６３を用いて報知させる。すなわち、上記新規に接続されたＤＣ機器５の報知部６２は、測定部６１により測定した電圧レベルがＤＣ機器５の動作状態の不良を示す値（１４ｖ以下）であるか否かに応じて、自機のＬＥＤ６３及びスピーカ６４を駆動して上記電圧レベルの測定結果を報知し、こうした電圧レベルの測定結果の報知を制御ユニット９は許容する。また、制御ユニット９は、上記測定結果通知としてＮＧを受信したＤＣ機器５が存在する場合には、そのことを報知指示通知として上記新規に接続されたＤＣ機器５に送信し、同ＤＣ機器５の報知部６２及びＬＥＤ６３を用いて報知させる。
【００５４】
具体的には、上記新規に接続されたＤＣ機器５での電圧レベルの測定結果がＮＧであれば、それを報知するための同ＤＣ機器５のＬＥＤ６３及びスピーカ６４の駆動、すなわち赤色のＬＥＤ点灯とビープ音の鳴動とが行われる。一方、上記新規に接続されたＤＣ機器５での電圧レベルの測定結果がＯＫであれば、それを報知するための同ＤＣ機器５のＬＥＤ６３の駆動、すなわち緑色のＬＥＤ点灯が行われる。ただし、この場合において、他のＤＣ機器５での電圧レベルの測定結果がＮＧであれば、それを報知するための上記新規に接続されたＤＣ機器５のＬＥＤ６３の駆動、すなわち赤色のＬＥＤ点灯も併せて行われる。従って、直流供給線路２２に対し新規にＤＣ機器５を接続したとき、そのＤＣ機器５での電圧レベルの測定結果がＯＫであっても、他のＤＣ機器５での電圧レベルの測定結果がＮＧであれば、上記新規に接続されたＤＣ機器５では緑色のＬＥＤ点灯と赤色のＬＥＤ点灯との両方が行われる。
【００５５】
以上詳述した本実施形態によれば、以下に示す効果が得られるように、
（２）直流供給線路２２に対し新規のＤＣ機器５が接続されたとき、そのＤＣ機器５の消費電力等の影響により、既に直流供給線路２２に接続されているＤＣ機器５で制御ユニット９からの給電に伴う電圧レベルが低下して動作状態が不良となった場合に、そのことを上記新規に接続されたＤＣ機器５にてユーザに向けて報知することができる。従って、ユーザは、直流供給線路２２に対し新規に接続されたＤＣ機器５での上記報知（緑色及び赤色のＬＥＤ点灯）を確認し、そのＤＣ機器５を直流供給線路２２から分離させたり、直流供給線路２２に対し電源を追加接続したりするという対策を施すことが可能になる。
【００５６】
［第３実施形態］
次に、本発明の第３実施形態を図６及び図７に基づき説明する。
この実施形態は、直流供給線路２２に対し新規にＤＣ機器５が接続されたとき、そのＤＣ機器５のインピーダンス等の影響により、既に直流供給線路２２に接続されているＤＣ機器５で制御ユニット９からの電気信号の受信状態が悪化して動作状態が不良となった場合に、そのことをユーザに向けて報知できるようにしたものである。より詳しくは、上記新規のＤＣ機器５の接続により、他のＤＣ機器５で制御ユニット９からの信号のＳ／Ｎ比が同ＤＣ機器５の動作不良を示す値となった場合に、そのことを上記新規に接続されたＤＣ機器５の報知部６２及びＬＥＤ６３等を用いて報知するようにしている。なお、この実施形態では、制御ユニット９からＤＣ機器５に供給される電気信号の受信状態に基づく同ＤＣ機器５の動作状態の不良を示す指標値として上記Ｓ／Ｎ比のみを用いている。
【００５７】
図６は、本実施形態の配電システムの構成を示した概略図である。同配電システムの制御ユニット９は、直流供給線路２２に対し新規にＤＣ機器５が接続されたとき、同直流供給線路２２に接続されたＤＣ機器５すべてに測定部６１による上記Ｓ／Ｎ比の測定を行わせる。直流供給線路２２に接続されたＤＣ機器５は、測定部６１によるＳ／Ｎ比の測定を行った後、そのＳ／Ｎ比の測定結果を制御ユニット９に送信する機能を有している。制御ユニット９は、上記新規に接続されたＤＣ機器５の報知部６２、ＬＥＤ６３、及びスピーカ６４を用いて、同ＤＣ機器５での上記Ｓ／Ｎ比の測定結果を報知させるとともに、測定されたＳ／Ｎ比が動作状態の不良を示したＤＣ機器５での同Ｓ／Ｎ比の測定結果を報知させる。なお、Ｓ／Ｎ比が上記のように動作状態の不良を示したＤＣ機器５からの同Ｓ／Ｎの測定結果は、上記新規に接続されたＤＣ機器５のインピーダンス等の影響に起因する通信不良により、制御ユニット９まで届かない場合がある。このため、制御ユニット９は、上記Ｓ／比の測定結果を受信できないＤＣ機器５があれば、そのＤＣ機器５で測定されたＳ／Ｎ比が同ＤＣ機器５の動作状態の不良を示したものとして、上記新規に接続されたＤＣ機器５の報知部６２及びＬＥＤ６３を用い、その旨報知する。
【００５８】
ここで、直流供給線路２２に対し新規にＤＣ機器５が接続されたとき、各ＤＣ機器５と制御ユニット９との間で行われる通信、並びに、制御ユニット９及びＤＣ機器５にて行われる処理について、図７に示されるシーケンス図を併せ参照して説明する。
【００５９】
上記ＤＣ機器５は、直流供給線路２２に対し新規に接続されると、制御ユニット９からの給電により起動し、同制御ユニット９に向けて新規参入通知を送信する。制御ユニット９は、上記新規に接続されたＤＣ機器５からの新規参入通知を受信したとき、直流供給線路２２に接続されているＤＣ機器５にブロードキャストで応答信号を送信する。直流供給線路２２に接続された各ＤＣ機器５の測定部６１は、上記応答信号を受信すると、同応答信号のＳ／Ｎ比を測定する。そして、上記新規に接続されたＤＣ機器５以外のＤＣ機器５は、測定された上記Ｓ／Ｎ比が上記ＤＣ機器５の動作状態の不良を示す値でない場合（例えば４ｄＢよりも大）、その旨の測定結果通知（ＯＫ）を制御ユニット９に送信する。また、上記ＤＣ機器５は、測定された上記Ｓ／Ｎ比が上記ＤＣ機器５の動作状態の不良を示す値（例えば４ｄＢ以下）である場合、その旨の測定結果通知（ＮＧ）を制御ユニット９に送信する。
【００６０】
制御ユニット９は、各ＤＣ機器５からの測定結果通知の受信後、上記新規に接続されたＤＣ機器５でのＳ／Ｎ比の測定結果を同ＤＣ機器５の報知部６２及びＬＥＤ６３を用いて報知させる。すなわち、上記新規に接続されたＤＣ機器５の報知部６２は、測定部６１により測定した上記Ｓ／Ｎ比がＤＣ機器５の動作状態の不良を示す値（４ｄｂ以下）であるか否かに応じて、自機のＬＥＤ６３及びスピーカ６４を駆動して上記Ｓ／Ｎ比の測定結果を報知し、こうしたＳ／Ｎ比の測定結果の報知を制御ユニット９は許容する。また、制御ユニット９は、Ｓ／Ｎ比の測定結果通知としてＮＧを受信したＤＣ機器５が存在する場合には、そのことを報知指示通知として上記新規に接続されたＤＣ機器５に送信し、同ＤＣ機器５の報知部６２及びＬＥＤ６３を用いて報知させる。
【００６１】
具体的には、上記新規に接続されたＤＣ機器５でのＳ／Ｎ比の測定結果がＮＧであれば、それを報知するための同ＤＣ機器５のＬＥＤ６３及びスピーカ６４の駆動、すなわち赤色のＬＥＤ点灯とビープ音の鳴動とが行われる。一方、上記新規に接続されたＤＣ機器５でのＳ／Ｎ比の測定結果がＯＫであれば、それを報知するための同ＤＣ機器５のＬＥＤ６３の駆動、すなわち緑色のＬＥＤ点灯が行われる。ただし、この場合において、他のＤＣ機器５でのＳ／Ｎの測定結果がＮＧであれば、それを報知するための上記新規に接続されたＤＣ機器５のＬＥＤ６３の駆動、すなわち赤色のＬＥＤ点灯も併せて行われる。また、上記Ｓ／Ｎの測定結果がＮＧであるＤＣ機器５からの測定結果通知は、上記新規に接続されたＤＣ機器５のインピーダンス等の影響に起因する通信不良により、制御ユニット９まで届かない場合がある。制御ユニット９は、上記Ｓ／比の測定結果通知を受信できないＤＣ機器５があれば、そのＤＣ機器５でのＳ／Ｎ比の測定結果がＮＧであるものとし、その旨の報知として上記新規に接続されたＤＣ機器５のＬＥＤ６３の駆動、すなわち赤色のＬＥＤ点灯が上記と同様に行われる。従って、直流供給線路２２に対し新規にＤＣ機器５を接続したとき、そのＤＣ機器５でのＳ／Ｎ比の測定結果がＯＫであっても、他のＤＣ機器５でのＳ／Ｎ比の測定結果がＮＧであれば、上記新規に接続されたＤＣ機器５では緑色のＬＥＤ点灯と赤色のＬＥＤ点灯との両方が行われる。
【００６２】
以上詳述した本実施形態によれば、以下に示す効果が得られるようになる。
（３）直流供給線路２２に対し新規のＤＣ機器５が接続されたとき、そのＤＣ機器５のインピーダンス等の影響により、既に直流供給線路２２に接続されているＤＣ機器５でＳ／Ｎ比が低下して動作状態が不良となった場合に、そのことを上記新規に接続されたＤＣ機器５にてユーザに向けて報知することができる。従って、ユーザは、直流供給線路２２に対し新規に接続されたＤＣ機器５での上記報知（緑色及び赤色のＬＥＤ点灯）を確認し、そのＤＣ機器５を直流供給線路２２から分離させたり、同ＤＣ機器５の直流供給線路２２に対する接続ポイントを変更したりするという対策を施すことが可能になる。
【００６３】
（４）直流供給線路２２に対し新規にＤＣ機器５が接続されたとき、同直流供給線路２２に接続された各ＤＣ機器５が上記Ｓ／Ｎ比の測定を行い、その測定結果を制御ユニット９に送信する。しかし、上記新規に接続されたＤＣ機器５のインピーダンス等が直流供給線路２２を介した通信に影響を及ぼすことは避けられず、既に直流供給線路２２に接続されているＤＣ機器５から制御ユニット９に向けて上記Ｓ／Ｎ比の測定結果としてＮＧを送信しても、その測定結果が上記影響に起因する通信不良により制御ユニット９に届かない場合がある。この場合、上記Ｓ／Ｎ比の測定結果を制御ユニット９で受信できないＤＣ機器５があれば、そのＤＣ機器５で測定された上記Ｓ／Ｎ比が動作状態の不良を示したものとして、上記新規に接続されたＤＣ機器５のＬＥＤ６３の駆動を用い、その旨報知されることとなる。このため、それを確認したユーザが上述したような適切な対策を施すことができる。
【００６４】
［第４実施形態］
次に、本発明の第４実施形態を図８〜図１０に基づき説明する。
この実施形態は、直流供給線路２２に対し新規にＤＣ機器５が接続されたとき、そのＤＣ機器５の消費電力等の影響により、既に直流供給線路２２に接続されているＤＣ機器５で電圧レベルが動作状態の不良を示す値に近い値まで低下したものが存在する場合に、電源追加の推奨ポイントを報知することを目的としている。なお、この実施形態では、制御ユニット９からＤＣ機器５に供給される電気信号の受信状態に基づく同ＤＣ機器５の動作状態の不良を示す指標値として上記電圧レベルのみを用いている。
【００６５】
図８は、本実施形態の配電システムの構成を示した概略図である。同配電システムの制御ユニット９は、直流供給線路２２に対し新規にＤＣ機器５が接続されたとき、同直流供給線路２２に接続されたＤＣ機器５すべてに測定部６１による電圧レベルの測定を行わせる。そして、制御ユニット９は、上記新規に接続されたＤＣ機器５の報知部６２、ＬＥＤ６３、及びスピーカ６４を用いて、同ＤＣ機器５での電圧レベルの測定結果を報知させるとともに、測定された電圧レベルが動作状態の不良に近い状態を示したＤＣ機器５の報知部６２及びＬＥＤ６３を用いて電源追加の推奨ポイントを報知させる。
【００６６】
ここで、直流供給線路２２に対し新規にＤＣ機器５が接続されたとき、各ＤＣ機器５と制御ユニット９との間で行われる通信、並びに、制御ユニット９及びＤＣ機器５にて行われる処理について、図９に示されるシーケンス図を併せ参照して説明する。
【００６７】
上記ＤＣ機器５は、直流供給線路２２に対し新規に接続されると、制御ユニット９からの給電により起動し、同制御ユニット９に向けて新規参入通知を送信する。制御ユニット９は、上記新規に接続されたＤＣ機器５からの新規参入通知を受信したとき、直流供給線路２２に接続されているＤＣ機器５にブロードキャストで応答信号を送信する。直流供給線路２２に接続された各ＤＣ機器５の測定部６１は、上記応答信号を受信すると、制御ユニット９からの給電に伴う電圧レベルを測定する。そして、上記新規に接続されたＤＣ機器５以外のＤＣ機器５は、測定された電圧レベルが上記ＤＣ機器５の動作状態の不良を示す値でない（最低閾値（例えば１４ｖ）よりも大きい）場合、その旨の測定結果通知（ＯＫ）を制御ユニット９に送信する。また、上記ＤＣ機器５は、測定された電圧レベルが上記ＤＣ機器５の動作状態の不良を示す値（上記最低閾値未満）である場合、その旨の測定結果通知（ＮＧ）を制御ユニット９に送信する。
【００６８】
制御ユニット９は、各ＤＣ機器５からの測定結果通知の受信後、上記新規に接続されたＤＣ機器５での電圧レベルの測定結果を同ＤＣ機器５の報知部６２及びＬＥＤ６３を用いて報知させる。すなわち、上記新規に接続されたＤＣ機器５の報知部６２は、測定部６１により測定した電圧レベルが上記最低閾値（１４ｖ）以下であるか否かに応じて、自機のＬＥＤ６３及びスピーカ６４を駆動して上記電圧レベルの測定結果を報知し、こうした電圧レベルの測定結果の報知を制御ユニット９は許容する。また、制御ユニット９は、測定した電圧レベルがＤＣ機器５の動作状態の不良を示す値に近い値（上記最低閾値（１４ｖ）よりも大きく且つ増設推奨閾値（例えば１６ｖ）以下）であるＤＣ機器５が存在する場合には、そのことを各ＤＣ機器５にブロードキャストで送信される報知指示通知を通じて知らせる。測定した電圧レベルが最低閾値よりも大きく且つ増設推奨閾値以下であるＤＣ機器５においては、上記報知指示通知を受信すると、報知部６２により電源追加の推奨ポイントを報知するための自機のＬＥＤ６３の駆動、すなわち赤色のＬＥＤ点滅が行われる。このようにして制御ユニット９は、電圧レベルが最低閾値よりも大きく且つ増設推奨閾値以下となったＤＣ機器５の報知部６２及びＬＥＤ６３を用いて、電源追加の推奨ポイントをユーザに向けて報知する。
【００６９】
ここで、直流供給線路２２に対し新規にＤＣ機器５が接続されたとき、同直流供給線路２２対し接続されたＤＣ機器５の報知部６２にて行われる処理について、図１０のフローチャートを参照して説明する。なお、このフローチャートに示される一連の処理は、測定部６１による電圧レベルの測定が行われた後であって、上記ＤＣ機器５が制御ユニット９からの報知指示通知を受信したときに開始される。
【００７０】
直流供給線路２２に対し新規にＤＣ機器５が接続されたとき、同直流供給線路２２に対し接続された状態のＤＣ機器５が制御ユニット９からのが報知指示通知を受信すると、ステップ（以下、単にＳと表記する）１０１の処理として、上記新規に接続されたＤＣ機器５であるか否かが判断される。そして、上記新規に接続されたＤＣ機器５であれば、同ＤＣ機器５の測定部６１により測定した電圧レベルが上記最低閾値（１４ｖ）以下であるか否かが判断される（Ｓ１０２）。ここで肯定判定であれば、報知部６２によるＬＥＤ６３及びスピーカ６４の駆動を通じて、赤色のＬＥＤ点灯及びビープ音の鳴動が行われる（Ｓ１０３）。これにより、測定部６１による電圧レベルの測定結果（ＮＧ）が報知部６２、ＬＥＤ６３、及びスピーカ６４によりユーザに向けて報知される。また、Ｓ１０２で否定判定であれば、報知部６２によるＬＥＤ６３の駆動を通じて、緑色のＬＥＤ点灯が行われる（Ｓ１０４）。これにより、測定部６１による電圧レベルの測定結果（ＯＫ）が報知部６２及びＬＥＤ６３によりユーザに向けて報知される。
【００７１】
一方、上記報知指示通知を受信したＤＣ機器５が上記新規に接続されたＤＣ機器５以外のもの、すなわち既に接続されていたＤＣ機器５であれば（Ｓ１０１：ＮＯ）、同ＤＣ機器５の測定部６１により測定した電圧レベルが上記最低閾値（１４ｖ）よりも大きく且つ上記増設推奨閾値（１６ｖ）以下であるか否かが判断される（Ｓ１０５）。ここで肯定判定であれば、同ＤＣ機器５の報知部６２によるＬＥＤ６３の駆動を通じて、赤色のＬＥＤ点滅が行われる（Ｓ１０６）。これにより、ユーザに向けて電源追加の推奨ポイントの報知が行われる。
【００７２】
以上詳述した本実施形態によれば、以下に示す効果が得られるようになる。
（５）直流供給線路２２に対し新規にＤＣ機器５を接続すると、既に直流供給線路２２に接続されていたＤＣ機器５で電圧レベルが低下する。そして、電圧レベルが上記ＤＣ機器５での動作状態の不良に近い状態を示した場合、すなわち最低閾値よりも大きく且つ増設推奨閾値以下となった場合、上記ＤＣ機器５の報知部６２及びＬＥＤ６３を用いてユーザに向けた電源追加の推奨ポイントの報知が行われる。こうした電源追加の推奨ポイントの報知により、ユーザは、電源を追加すべきポイントを容易に確認することができ、上記電源追加の推奨ポイントを報知しているＤＣ機器５の近傍に電源を追加するという適切な対策を施すことができる。
【００７３】
［第５実施形態］
次に、本発明の第５実施形態を図１１〜図１３に基づき説明する。
この実施形態は、直流供給線路２２に対し新規にＤＣ機器５が接続されたとき、そのＤＣ機器５のインピーダンス等の影響により、既に直流供給線路２２に接続されているＤＣ機器５でＳ／Ｎ比が動作状態の不良を示す値に対し余裕のある状態を示したものが存在する場合に、ＤＣ機器接続の推奨ポイントを報知することを目的としている。なお、この実施形態では、制御ユニット９からＤＣ機器５に供給される電気信号の受信状態に基づく同ＤＣ機器５の動作状態の不良を示す指標値として上記Ｓ／Ｎ比のみを用いている。
【００７４】
図１１は、本実施形態の配電システムの構成を示した概略図である。同配電システムの制御ユニット９は、直流供給線路２２に対し新規にＤＣ機器５が接続されたとき、同直流供給線路２２に接続されたＤＣ機器５すべてに測定部６１によるＳ／Ｎ比の測定を行わせる。そして、制御ユニット９は、上記新規に接続されたＤＣ機器５の報知部６２、ＬＥＤ６３、及びスピーカ６４を用いて、同ＤＣ機器５でのＳ／Ｎ比の測定結果を報知させるとともに、測定されたＳ／Ｎ比が動作状態の不良を示す値に対し余裕のある状態を示したＤＣ機器５の報知部６２及びＬＥＤ６３を用いて、ＤＣ機器接続の推奨ポイントを報知させる。
【００７５】
ここで、直流供給線路２２に対し新規にＤＣ機器５が接続されたとき、各ＤＣ機器５と制御ユニット９との間で行われる通信、並びに、制御ユニット９及びＤＣ機器５にて行われる処理について、図１２に示されるシーケンス図を併せ参照して説明する。
【００７６】
上記ＤＣ機器５は、直流供給線路２２に対し新規に接続されると、制御ユニット９からの給電により起動し、同制御ユニット９に向けて新規参入通知を送信する。制御ユニット９は、上記新規に接続されたＤＣ機器５からの新規参入通知を受信したとき、直流供給線路２２に接続されているＤＣ機器５にブロードキャストで応答信号を送信する。直流供給線路２２に接続された各ＤＣ機器５の測定部６１は、上記応答信号を受信すると、同応答信号のＳ／Ｎ比を測定する。そして、上記新規に接続されたＤＣ機器５以外のＤＣ機器５は、測定されたＳ／Ｎ比が上記ＤＣ機器５の動作状態の不良を示す値でない（最低閾値（例えば４ｄＢ）よりも大きい）場合、その旨の測定結果通知（ＯＫ）を制御ユニット９に送信する。また、上記ＤＣ機器５は、測定されたＳ／Ｎ比が上記ＤＣ機器５の動作状態の不良を示す値（上記最低閾値未満）である場合、その旨の測定結果通知（ＮＧ）を制御ユニット９に送信する。
【００７７】
制御ユニット９は、各ＤＣ機器５からの測定結果通知の受信後、上記新規に接続されたＤＣ機器５でのＳ／Ｎ比の測定結果を同ＤＣ機器５の報知部６２及びＬＥＤ６３を用いて報知させる。すなわち、上記新規に接続されたＤＣ機器５の報知部６２は、測定部６１により測定したＳ／Ｎ比が上記最低閾値（４ｄＢ）以下であるか否かに応じて、自機のＬＥＤ６３及びスピーカ６４を駆動して上記Ｓ／Ｎ比の測定結果を報知し、こうしたＳ／Ｎ比の測定結果の報知を制御ユニット９は許容する。また、制御ユニット９は、測定したＳ／Ｎ比がＤＣ機器５の動作状態の不良を示す値に対し余裕のある状態（接続推奨閾値（例えば２２ｄＢ）以上）であるＤＣ機器５が存在する場合には、そのことを各ＤＣ機器５にブロードキャストで送信される報知指示通知を通じて知らせる。測定したＳ／Ｎ比が接続推奨閾値よりも大きいＤＣ機器５においては、上記報知指示通知を受信すると、報知部６２によりＤＣ機器接続の推奨ポイントを報知するための自機のＬＥＤ６３の駆動、すなわち緑色のＬＥＤ点滅が行われる。このようにして制御ユニット９は、Ｓ／Ｎ比がＤＣ接続推奨閾値よりも大きくなったＤＣ機器５の報知部６２及びＬＥＤ６３を用いて、ＤＣ機器接続の推奨ポイントをユーザに向けて報知する。
【００７８】
ここで、直流供給線路２２に対し新規にＤＣ機器５が接続されたとき、同直流供給線路２２対し既に接続されているＤＣ機器５の報知部６２にて行われる処理について、図１３のフローチャートを参照して説明する。なお、このフローチャートに示される一連の処理は、測定部６１によるＳ／Ｎ比の測定が行われた後であって、上記ＤＣ機器５が制御ユニット９からの報知指示通知を受信したときに開始される。
【００７９】
直流供給線路２２に対し新規にＤＣ機器５が接続されたとき、同直流供給線路２２に対し接続された状態のＤＣ機器５が制御ユニット９からのが報知指示通知を受信すると、上記新規に接続されたＤＣ機器５であるか否かが判断される（Ｓ２０１）。そして、上記新規に接続されたＤＣ機器５であれば、同ＤＣ機器５の測定部６１により測定したＳ／Ｎ比が上記最低閾値（４ｄＢ）以下であるか否かが判断される（Ｓ２０２）。ここで肯定判定であれば、報知部６２によるＬＥＤ６３及びスピーカ６４の駆動を通じて、赤色のＬＥＤ点灯及びビープ音の鳴動が行われる（Ｓ２０３）。これにより、測定部６１によるＳ／Ｎ比の測定結果（ＮＧ）が報知部６２、ＬＥＤ６３、及びスピーカ６４によりユーザに向けて報知される。また、Ｓ２０２で否定判定であれば、報知部６２によるＬＥＤ６３の駆動を通じて、緑色のＬＥＤ点灯が行われる（Ｓ２０４）。これにより、測定部６１によるＳ／Ｎ比の測定結果（ＯＫ）が報知部６２及びＬＥＤ６３によりユーザに向けて報知される。
【００８０】
一方、上記報知指示通知を受信したＤＣ機器５が上記新規に接続されたＤＣ機器５以外のもの、すなわち既に接続されていたＤＣ機器５であれば（Ｓ２０１：ＮＯ）、同ＤＣ機器５の測定部６１により測定したＳ／Ｎ比が上記接続推奨閾値（２２ｄＢ）よりも大きいか否かが判断される（Ｓ２０５）。ここで肯定判定であれば、同ＤＣ機器５の報知部６２によるＬＥＤ６３の駆動を通じて、緑色のＬＥＤ点滅が行われる（Ｓ２０６）。これにより、ユーザに向けてＤＣ機器接続の推奨ポイントの報知が行われる。
【００８１】
以上詳述した本実施形態によれば、以下に示す効果が得られるようになる。
（６）直流供給線路２２に対し新規にＤＣ機器５を接続したとき、既に直流供給線路２２に接続されているＤＣ機器５においてＳ／Ｎ比がＤＣ機器５の動作状態の不良を示す値に対し余裕のある状態を示した場合、そのＤＣ機器５の報知部６２及びＬＥＤ６３を用いてユーザに向けたＤＣ機器接続の推奨ポイントの報知が行われる。こうしたＤＣ機器接続の推奨ポイントの報知により、ユーザは、ＤＣ機器５を接続するにふさわしいポイントを容易に確認することができる。従って、直流供給線路２２に対し新規にＤＣ機器５を接続したとき、Ｓ／Ｎ比の低下に起因して同ＤＣ機器５が適正に動作しないことが赤色のＬＥＤ点灯及びビープ音の鳴動により報知された場合に、ユーザは、そのＤＣ機器５を上記ＤＣ機器接続の推奨ポイントを報知しているＤＣ機器５端末の近傍に接続し直すという適切な対策を施すことができる。
【００８２】
［その他の実施形態］
なお、上記各実施形態は、例えば以下のように変更することもできる。
・第５実施形態において、ＤＣ機器接続の推奨ポイントをＤＣ機器５での緑色のＬＥＤ点滅によって報知するに当たり、測定されたＳ／Ｎ比の同ＤＣ機器５の動作状態の不良を示す値に対する余裕度の大きさに応じて上記報知の程度を変えるようにしてもよい。例えば、測定されたＳ／Ｎ比の同ＤＣ機器５の動作状態の不良を示す値に対する余裕度が大きくなるほど、言い換えればＤＣ機器接続の推奨ポイントの推奨度が大きくなるほど、上記ＤＣ機器５において緑色のＬＥＤの点滅の速度を速くするようにしてもよい。この場合、ＤＣ機器接続のポイントとしての推奨度の大きさを考慮しつつ、直流供給線路２２に対する接続後のＤＣ機器５の使い勝手等もふまえて、同ＤＣ機器５をユーザにとって好適なポイントに接続することができる。
【００８３】
・第５実施形態において、電圧レベルを指標値とし、直流供給線路２２に対し新規にＤＣ機器５が接続されるとき、他のＤＣ機器５で電圧レベルがＤＣ機器５の動作不良を示す値に対し余裕のある状態（例えば２０ｖよりも大）のものが存在する場合、同ＤＣ機器５にて緑色のＬＥＤを点滅させてＤＣ機器接続の推奨ポイントを報知するようにしてもよい。こうしたＤＣ機器接続の推奨ポイントの報知に関しては、その程度を測定された電圧レベルの同ＤＣ機器５の動作不良を示す値に対する余裕度の大きさに応じて変化させてもよい。この場合、上記と同等の効果が得られる。
【００８４】
・第５実施形態において、ＤＣ機器接続の推奨ポイントの報知をＤＣ機器５におけるスピーカ６４からのビープ音や音声案内によって行ってもよい。この場合、ＤＣ機器接続の推奨ポイントの推奨度に応じて上記ビープ音や音声案内による報知の程度を変えるようにすれば、上記と同等の効果が得られる。
【００８５】
・第４実施形態において、電源追加の推奨ポイントの報知をＤＣ機器５におけるスピーカ６４からのビープ音や音声案内によって行ってもよい。
・第１実施形態において、直流供給線路２２に対し新規にＤＣ機器５が接続されたとき、そのＤＣ機器５と制御ユニット９との間で図１４に示されるように通信を行い、その際に同ＤＣ機器５にてＳ／Ｎ比の測定を行うようにしてもよい。詳しくは、直流供給線路２２に対し新規にＤＣ機器５が接続されたとき、そのＤＣ機器５は、制御ユニット９に向けて新規参入通知を送信する。制御ユニット９は上記新規参入通知の受信に基づき上記ＤＣ機器５に向けて応答信号を送信し、同ＤＣ機器５は上記応答信号を受信したときに同応答信号のＳ／Ｎ比を測定する。この場合も、上記第１実施形態と同等の効果が得られる。
【００８６】
・第２実施形態と第４実施形態とを組み合わせてもよい。
・第３実施形態と第５実施形態とを組み合わせてもよい。
・第１実施形態において、Ｓ／Ｎ比と電圧レベルとの一方を指標値とし、その指標値の測定結果を報知するようにしてもよい。
【符号の説明】
【００８７】
１…電力供給システム、２…商用交流電源、３…太陽電池、４…燃料電池、５…ＤＣ機器、６…ＡＣ機器、７…コントロールユニット、８…ＤＣ分電盤、９…制御ユニット、１０…リレーユニット、１１…ＡＣ分電盤、１２…交流系電力線、１３…直流系電力線、１４…直流系電力線、１５…直流系電力線、１６…蓄電池、１７…信号線、１８…直流系電力線、１９…直流系電力線、２０…信号線、２１…信号線、２２…直流供給線路、２３…スイッチ、２４…センサ、２５…直流系電力線、２６…スイッチ、２７…直流コンセント、２８…直流系電力線、２９…電力メータ、３０…ネットワークシステム、３１…宅内サーバ、３２…管理サーバ、３３…信号線、３４…宅内機器、３５…直流系電力線、３６…コントロールボックス、３７…信号線、３８…直流供給線路、３９…ガス／水道メータ、４０…操作パネル、４１…監視機器、６１…測定部（測定手段）、６２…報知部（報知手段）、６３…ＬＥＤ、６４…スピーカ。
【図１】
2011082602.tif 000003
【図２】
2011082602.tif 000004
【図３】
2011082602.tif 000005
【図４】
2011082602.tif 000006
【図５】
2011082602.tif 000007
【図６】
2011082602.tif 000008
【図７】
2011082602.tif 000009
【図８】
2011082602.tif 000010
【図９】
2011082602.tif 000011
【図１０】
2011082602.tif 000012
【図１１】
2011082602.tif 000013
【図１２】
2011082602.tif 000014
【図１３】
2011082602.tif 000015
【図１４】
2011082602.tif 000016